(57)【要約】【課題】マルチ形の空気調和装置の冷媒配管が、据え付け工事後に正しく取り付けられているかを判定する制御を備えたマルチ形の空気調和装置を提供する。【解決手段】室内熱交換器センサ６の温度と吸い込みセンサ７の温度からの初期値と、熱交換器センサ６の温度と吸い込みセンサ７の温度から一定時間後の所定値との温度差が、一定値以上であると室内ユニット１と室外ユニット３が正しく接続されていると判定し、一定値未満であると室内ユニット１と室外ユニット３の配管が正しく接続されていないと判定する接続判定手段を設けた制御を行うものであり、室内ユニット１の室内熱交換器センサ６と吸い込みセンサ７により、室内ユニット１の雰囲気温度の変化を少なくし、冷媒の温度変化を正確に精度よく判定し、短時間に判定できる。【選択図】図３
2014013119.tif 000002
【特許請求の範囲】
【請求項１】
圧縮機、室外熱交換器、電磁弁を設けた室外ユニットと、室内熱交換器、前記室内熱交換器の熱交換器温度を検出する熱交換器温度センサ、前記室内熱交換器の吸い込み温度を検出する吸い込み温度センサを設けた室内ユニットに冷媒配管で接続する複数の室内ユニットを備えたマルチ形空気調和装置において、前記熱交換器温度センサの温度と前記吸い込み温度センサの温度からの初期値と、前記熱交換器温度センサの温度と前記吸い込み温度センサの温度から一定時間後の所定値との温度差が、一定値以上であると前記室内ユニットと前記室外ユニットが正しく接続されていると判定し、一定値未満であると前記室内ユニットと前記室外ユニットが正しく接続されていないと判定する接続判定手段を設けた制御を特徴とするマルチ形空気調和装置。
【請求項２】
前記熱交換器温度センサの温度と、前記吸い込み温度センサの温度から算出する初期値と、一定時間後の所定値の温度差において、前記熱交換器センサの温度と前記吸い込み温度センサの温度の割合を変化させた算出方法を設けた制御を特徴とする請求項１に記載のマルチ形空気調和装置。
【発明の詳細な説明】
【技術分野】
【０００１】
本発明は、室外ユニットと冷媒配管で接続した複数の室内ユニットにおいて、室内熱交換器センサの温度と吸い込みセンサの温度から算出される計算式を使用した制御により、室内ユニットが正しく接続されているかどうかの接続判定する手段を設けたマルチ形空気調和装置に関するものである。
【背景技術】
【０００２】
従来、この種のマルチ形空気調和装置は、室内ユニット１、室内ユニット２と室外ユニット３で構成されたマルチ形空気調和装置の構成を持っている。
【０００３】
図１は、室内ユニット１、室内ユニット２、室外ユニット３で構成されたマルチ形空気調和装置である。以上のようなマルチ形空気調和装置が設置された部屋の運転状態について動作、作用を説明する。
【０００４】
室内ユニット１は、室外ユニット３と冷媒配管４で接続されている。室内ユニット１は、熱交換器センサ６、吸い込みセンサ７から構成されている。室内ユニット２は、室外ユニット３と冷媒配管５で接続されている。室内ユニット２は、室内熱交換器センサ８、吸い込みセンサ９で構成されている。
【０００５】
これより、室外ユニット３は、室内ユニット１、室内ユニット２との間で、冷媒配管４、冷媒配管５により冷媒を循環させている。また、室外ユニット３は、室内ユニット１、室内ユニット２との間で、信号配線１０、信号配線１１により制御用の信号を伝える。
【０００６】
室外ユニット３は、圧縮機１２により冷媒が循環し、室内ユニット１に使用する電磁弁１３、室内ユニット２に使用する電磁弁１４により冷媒を分配する。
【先行技術文献】
【特許文献】
【０００７】
【特許文献１】特開平８−２１９６００号公報
【発明の概要】
【発明が解決しようとする課題】
【０００８】
しかしながら、前記従来のマルチ形空気調和装置を据え付け工事終了後に、室外ユニット３と接続する室内ユニット１、室内ユニット２において、室内ユニット１と接続する冷媒配管４、信号配線１０、そして室内ユニット２と接続する冷媒配管５、信号配線１１と正しく接続されているかどうかを確認しなければいけなかった。
【０００９】
例えば、室内ユニット１に冷媒配管５を接続し、室内ユニット２に冷媒配管４を接続する場合があるので接続確認を行うためである。つまり、室内ユニット１、室内ユニット２を順番に冷房運転を行い、それぞれの室内熱交換器センサ６、８の温度が低下しているかを確認し、室内ユニットと室外ユニットが正しく接続されているかを確認するのである。
【００１０】
しかしながら、室内熱交換器センサ６、８の温度低下において、検出するのに時間がかかるという課題を有していた。
【００１１】
本発明は、前記従来の課題を解決するもので、複数の室内ユニットと室外ユニットの接続確認を行う場合に、室内熱交換器温度センサの温度と吸い込み温度センサの温度を使用
する制御より、正確に精度を上げ、そして短時間に接続判定を行うことを目的とする。
【課題を解決するための手段】
【００１２】
前記従来の課題を解決するために、本発明のマルチ形空気調和装置は、熱交換器温度センサの温度と吸い込み温度センサの温度からの初期値と、熱交換器温度センサの温度と吸い込み温度センサの温度から一定時間後の所定値との温度差が、一定値以上であると室内ユニットと室外ユニットが正しく接続されていると判定し、一定値未満であると室内ユニットと室外ユニットが正しく接続されていないと判定する接続判定手段を設けたものである。
【００１３】
これによって、複数の室内ユニットと室外ユニットを取り付けたマルチ形空気調和装置において、据え付け工事終了後にそれぞれの室内ユニットと冷媒配管が正しく取り付けられているかを判定する場合に、室内ユニットの室内熱交換器センサと室内吸い込みセンサを使用する制御により、正確に精度を上げ、短時間に判定する制御である。
【発明の効果】
【００１４】
本発明は、室内ユニットの室内熱交換器センサと室内吸い込みセンサを使用する制御により、正確に精度を上げ、短時間に判定する制御である。
【図面の簡単な説明】
【００１５】
【図１】本発明の実施の形態および従来のマルチ形空気調和装置
【図２】本発明のサイクル図
【図３】センサの温度変化図
【発明を実施するための形態】
【００１６】
第１の発明は、圧縮機、室外熱交換器、電磁弁を設けた室外ユニットと、室内熱交換器、前記室内熱交換器の熱交換器温度を検出する熱交換器温度センサ、前記室内熱交換器の吸い込み温度を検出する吸い込み温度センサを設けた室内ユニットに冷媒配管で接続する複数の室内ユニットを備えたマルチ形空気調和装置において、前記熱交換器温度センサの温度と前記吸い込み温度センサの温度からの初期値と、前記熱交換器温度センサの温度と前記吸い込み温度センサの温度から一定時間後の所定値との温度差が、一定値以上であると前記室内ユニットと前記室外ユニットが正しく接続されていると判定し、一定値未満であると前記室内ユニットと前記室外ユニットが正しく接続されていないと判定する接続判定手段を設けた制御を行うものであり、室内ユニットの室内熱交換器センサと吸い込みセンサにより、室内ユニットの雰囲気温度の変化を少なくし、冷媒の温度変化を正確に精度よく判定し、短時間に判定できる。
【００１７】
第２の発明は、第１の発明の前記熱交換器温度センサの温度と、前記吸い込み温度センサの温度から算出する初期値と、一定時間後の所定値の温度差において、前記熱交換器センサの温度と前記吸い込み温度センサの温度の割合を変化させた算出方法を設けた制御を行うものであります。
【００１８】
以下、本発明の実施の形態について、図面を参照しながら説明する。なお、この実施の形態によって本発明が限定されるものではない。
【００１９】
（実施の形態１）
図２は、本発明の実施の形態におけるサイクル図を示すものである。従来の実施の形態と同じである。冷房時は、圧縮機１２から吐出された冷媒は、室外ユニット３と通って、室内ユニット１へは電磁弁１３、熱交換器１５を通り圧縮機１２へ、室内ユニット２へは電磁弁１４、熱交換器１６を通り圧縮機１２へ戻る。暖房時は、四方弁１８により逆方向
に冷媒が流れる。
【００２０】
図３は、センサの温度変化図を示すものである。一般的に室内熱交換器温度は、冷媒が流れるため温度の低下が大きく、吸い込み温度センサは温度の低下が小さい。
【００２１】
そして、吸い込み温度含めることによりを室内ユニットの雰囲気温度を考慮することができ、正確に精度よく判定することができる。接続判定する場合、室内ユニット１から判定する場合は、電磁弁１４を閉じて、室内ユニット１にのみ冷媒を流し、初期値（室内熱交換器センサ６の温度と室内吸い込みセンサ７の温度から算出される）と所定値（一定時間後の室内熱交換器センサ６の温度と室内吸い込みセンサ７の温度から算出される）との｜温度差｜＝（初期値一定値）が一定値Ｅ以上になれば、冷媒が流れていると判定していると判断する。
【００２２】
しかし、この温度差が一定値Ｆ未満であれば、冷媒が流れていないと判断する。室内ユニット２についても、電磁弁１４を閉じて、室内ユニット２にのみ冷媒を流し、初期値（室内熱交換器センサ８の温度と室内吸い込みセンサ９の温度から算出される）と所定値（一定時間後の室内熱交換器センサ８の温度と室内吸い込みセンサ９の温度から算出される）との｜温度差｜＝（初期値―所定値）により、室内ユニット１と同様に冷媒の流れを判断する。そして、より精度を上げるために、温度差を１〜ｎ回まで積算して判断を行う。
【００２３】
初期値の計算式、所定値、温度差の計算は以下に示す。
【００２４】
初期値＝Ａ×室内熱交換器センサ６＋Ｂ×吸い込みセンサ７
所定値＝Ｃ×室内熱交換器センサ８＋Ｄ×吸い込みセンサ９
そして、所定値は、精度を上げるために、積算を行う。
【００２５】
｜温度差｜＝初期値−（所定値１＋所定値２＋・・・所定値ｎ）／ｎ
温度差が大きければ、冷媒が、その室内ユニットの熱交換器に流れていることを示している。初期値、所定値は、Ａ、Ｂ、Ｃ、Ｄそれぞれの値を変化させることにより、より正確に判定を行うことができる。
【００２６】
これらの制御を据え付け工事後に行い、冷媒配管が正しくとりつけているかどうかの判定を行う。
【産業上の利用可能性】
【００２７】
以上のように、本発明にかかるマルチ形空気調和装置は、冷媒配管が正しく取り付けられているかどうかを判定する制御は、正確に短時間で判定することが可能となり、マルチ形空気調和装置の２室以上の用途にも適用できる。
【符号の説明】
【００２８】
１  室内ユニット
２  室内ユニット
３  室外ユニット
４  冷媒配管
５  冷媒配管
６  熱交換器センサ
７  吸い込みセンサ
８  熱交換器センサ
９  吸い込みセンサ
１０  信号配線
１１  信号配線
１２  圧縮機
１３  電磁弁
１４  電磁弁
１５  熱交換器
１６  熱交換器
【図１】
2014013119.tif 000003
【図２】
2014013119.tif 000004
【図３】
2014013119.tif 000005